(57)【要約】【課題】所望の色出力を安価に得るための光源を提供する。【解決手段】本発明の光源は、Ｎ個の光生成器、受信器、及びインターフェイス回路を有する。光生成器の各々は異なる波長の光を放射し、ｋ番目の光生成器によって生成される光の強度は、その光生成器に結合された信号Ｉｋによって決まる。受信器は、Ｎ個の色成分Ｃｋ（ｋ＝１〜Ｎ、Ｎは１より大きい）を含む色座標を受け取る。インターフェイス回路は、受け取った色成分からＩｋ（ｋ＝１〜Ｎ）を生成し、及び複数の較正パラメータを生成する。較正パラメータは、光生成器における製造ばらつきに依存する。較正パラメータは、光生成器の各々から放射された光を組み合わせることによって生成される光信号が、ＩｋがＣｋ（ｋ＝１〜Ｎ）に比例する場合に生成された光信号に対するよりも、光生成器の製造ばらつきに対する依存度が小さくなるように選択された値を有する。【選択図】図２
2005191004.tif 000002
【特許請求の範囲】
【請求項１】
Ｎ個の光生成器であって、それぞれの光生成器は、異なる波長の光を放射し、ｋ番目の生成器によって生成される光の強度は、当該光生成器に接続される信号Ｉｋによって決定されることからなる、Ｎ個の光生成器と、
Ｎ個の色成分Ｃｋ（ここで、ｋ＝１〜Ｎであり、Ｎは、１よりも大きい）を有する色座標を受け取る受信器と、
前記受信した色成分と複数の較正パラメータからＩｋ（ここで、ｋ＝１〜Ｎである）を生成するインターフェイス回路であって、前記較正パラメータは、前記光生成器の製造のばらつきに依存していると共に、前記光生成器のそれぞれから放射される前記光を組み合わせることによって生成される光信号が、ＩｋがＣｋに比例する（ここで、ｋ＝１〜Ｎである）場合に生成される光信号に対するよりも、前記光生成器内の前記製造のばらつきに対する依存度が低くなるような値を有することからなる、インターフェイス回路
とを備える、光源。
【請求項２】
前記Ｉｋの１つは、前記Ｃｋ値の加重和に比例し、前記加重和は、前記較正パラメータに依存する重みパラメータを利用する、請求項１記載の光源。
【請求項３】
前記光生成器のそれぞれは、ＬＥＤを備える、請求項１記載の光源。
【請求項４】
前記光生成器のそれぞれは、レーザーを備える、請求項１記載の光源。
【請求項５】
Ｎ＝３であり、前記光生成器の中の１つは、光スペクトルの赤領域内の光を生成し、前記光生成器の中の別のものは、光スペクトルの青領域内の光を生成し、残りの光生成器は、光スペクトルの緑領域内の光を生成する、請求項１記載の光源。
【請求項６】
前記色成分は、ＣＩＥ色標準に対応しており、前記較正パラメータは、前記光生成器のそれぞれから放射される前記光を組み合わせることによって生成される前記光信号が、受信された色成分がＣｋ＝Ｃ’ｋである（ここで、ｋ＝１〜３である）値を有するときにＣ’ｋの前記ＣＩＥ色標準における色成分によって特徴付けられるように選定される、請求項５記載の光源。
【請求項７】
Ｎ個の色成分Ｃｋ（ここで、ｋ＝１〜Ｎであり、Ｎは１よりも大きい）を有する色座標に応答して光を生成する方法であって、
前記受信した色成分と複数の較正パラメータからＩｋ（ここで、ｋ＝１〜Ｎである）を生成する段階と、
Ｎ個の光生成器によってＮ個の光成分を生成する段階であって、ｉ番目の光成分は、Ｉｋによって決定される強度とその他の光成分とは異なる波長を有しており、前記較正パラメータは、前記光生成器の製造のばらつきに依存していると共に、前記光生成器のそれぞれから放射される前記光を組み合わせることによって生成される光信号が、ＩｋがＣｋに比例する（ここで、ｋ＝１〜Ｎである）場合に生成される光信号に対するよりも、前記光生成器の前記製造のばらつきに対する依存度が低くなるような値を有することからなる、段階と、
前記Ｎ個の光成分を組み合わせて前記生成される光を形成する段階
とを含む、方法。
【請求項８】
前記Ｉｋの中の１つは、前記Ｃｋ値の加重和に比例し、前記加重和は、前記較正パラメータに依存する重みパラメータを利用する、請求項７記載の方法。
【請求項９】
前記光生成器のそれぞれは、ＬＥＤを備える、請求項７記載の方法。
【請求項１０】
前記光生成器のそれぞれは、レーザーを備える、請求項７記載の方法。
【請求項１１】
Ｎ＝３であり、前記光生成器の中の１つは、光スペクトルの赤領域内の光を生成し、前記光生成器の中の別のものは、光スペクトルの青領域内の光を生成し、残りの光生成器は、光スペクトルの緑領域内の光を生成する、請求項７記載の方法。
【請求項１２】
前記色成分は、ＣＩＥ色標準に対応し、前記較正パラメータは、前記光生成器のそれぞれから放射される前記光を組み合わせることによって生成される前記光信号が、受信された色成分がＣｋ＝Ｃ’ｋである（ここで、ｋ＝１〜３）値を有するときにＣ’ｋの前記ＣＩＥ色標準における色成分によって特徴付けられるように選定される、請求項１１記載の方法。
【発明の詳細な説明】
【技術分野】
【０００１】
本発明は、光源に関するものである。
【背景技術】
【０００２】
発光ダイオード（ＬＥＤ）は、白熱球や蛍光光源などの従来の光源を代替する魅力的な候補である。ＬＥＤは、高い光変換効率と長い寿命を有している。しかし、残念なことに、ＬＥＤが生成する光のスペクトル帯域は、相対的に狭い。このため、任意の色を有する光源を製造するには、通常、複数のＬＥＤを具備する複合光源を利用するか、或いは、単一のＬＥＤの光の一部を第２波長の光に変換し、これをオリジナルのＬＥＤの光と混合しなければならない。例えば、それぞれの色の正しい光強度を生成する赤、青、及び緑放射ＬＥＤのアレイの光を組み合わせることにより、人間の観察者が白色と知覚する放射を提供するＬＥＤベースの白色光源を構成することができる。同様に、赤、青、及び緑ＬＥＤ出力の強度を変化させて所望の色出力を生成することにより、その他のスペクトル放射の光を同一のアレイによって生成可能である。それぞれのアレイの光強度は、ＬＥＤを流れる電流の大きさを変化させるか、或いは、ＬＥＤによって生成される光の平均強度を決定するデューティサイクルでＬＥＤをオン／オフスイッチングすることにより、変化させることができる。
【０００３】
光源の設計者は、通常、標準化された赤、青、及び緑の光強度に関して光源の所望の出力色についての知識を有している。原理的には、必要な赤、青、及び緑強度と一致するように個別の色の光強度を調節すれば、赤、青、及び緑のＬＥＤから構成された光源を利用可能である。しかしながら、残念なことに、ＬＥＤの製造プロセスによれば、個々に多少異なる放射及び効率を有するＬＥＤが提供される。そして、設計者が、ＬＥＤがすべて同一であると仮定してＬＥＤ照明システムを構成した場合には、このばらつきのために、光の知覚スペクトルに色ずれが生じることになる。多くの場合、このようなばらつきは許容不能である。この問題に対する１つの解決策は、選択後のＬＥＤが正しい放射効率及びスペクトルを正確に有するようにＬＥＤを選択する段階を含む。残念ながら、この解決策によれば、生産の歩留まりが低下し、費用が増大する。
【０００４】
原理的には、それぞれの光源を調節し、所望の出力スペクトルを提供可能である。このようなプロセスには、電流を変化させ、標準化されたカメラによって光源の出力をチェックすることにより、それぞれの光源のＬＥＤ有色アレイのそれぞれに印加される電流を決定する段階が必要となる。この原理を使用することにより、スペクトルフィードバック（「ＬＥＤ照明フィードバックシステム」）を有するＬＥＤ光源システムを構成することができる。標準化されたカメラが、計測情報を光源コントローラに連続的に送信し、光源コントローラが、ＬＥＤに対する駆動電流を調節する。標準化されたカメラは、ＣＩＥ等色関数（ＣＭＦ）に密接に応答するべく構成されたものであってよい。このようなカメラによれば、ＣＩＥ標準表色系に対応する計測値が生成されることになる。その他の標準に対応するカメラを使用することも可能である。但し、その応答が標準的なスペクトル応答に対応するように（例えば一致するように）チューニングされているため、これらの標準化されたカメラは、通常、高価である。ＣＩＥ等色関数は、標準的なスペクトル応答の一例である。これより安価な代替品は、可視スペクトルの赤、緑、及び青領域に対して鋭敏なＣＭＯＳの３色センサを利用する方法である。これらのセンサは、市販されており、ＰＤＡ及び携帯電話機に使用されているＣＭＯＳカメラに類似した構造を具備している。これらのセンサは、通常、標準的な表色系に準拠していない。但し、このようなセンサを使用する際の１つの問題点は、センサのスペクトル応答をＬＥＤ光源のスペクトル出力にマッピングするために較正手順が必要とされることである。この結果、ＬＥＤ照明フィードバックシステムの製造者は、製造者の製造ラインに、このタイプの較正設備を設置並びに維持すると共に、製造するそれぞれの光源に対して較正値を設定することが必要となる。そして、この結果、生産ラインの確立に必要とされる資本投資が増大する。既知のＣＩＥ座標の光を放射する複合光源をＬＥＤ照明フィードバックシステムの製造者に供給すれば、計測することなしに、それぞれの複合光源の較正値が判明しているため、この較正手順（これは、依然として必要ではあるが）をより安価で単純なものにすることができる。
【発明の開示】
【発明が解決しようとする課題】
【０００５】
したがって、本発明の１つの目的は、所望の色出力を安価に得るための光源を提供することである。
【課題を解決するための手段】
【０００６】
本発明は、Ｎ個の光生成器、受信器、及びインターフェイス回路を具備する光源を含んでいる。それぞれの光生成器は、異なる波長の光を放射し、ｋ番目の生成器によって生成される光の強度は、当該光生成器に接続された信号Ｉｋによって決定される。受信器は、Ｎ個の色成分Ｃｋ（ここで、ｋ＝１〜Ｎであって、Ｎは１よりも大きい）を含む色座標を受信する。インターフェイス回路は、この受信した色成分と複数の較正パラメータからＩｋ（ここで、ｋ＝１〜Ｎである）を生成する。この較正パラメータは、光生成器における製造のばらつきに依存している。この較正パラメータは、光生成器のそれぞれから放射される光を組み合わせることによって生成される光信号が、ＩｋがＣｋに比例している（ここで、ｋ＝１〜Ｎである）場合に生成される光信号に対するよりも、光生成器の製造のばらつきに対する依存度が低くなるように選定された値を有している。一実施形態では、Ｉｋの１つは、Ｃｋ値の重み付き和（加重和）に比例しており、この重み付き和は、較正パラメータに依存する重みパラメータを利用する。別の実施形態では、光生成器のそれぞれはＬＥＤを含んでいる。更なる実施形態では、Ｎ＝３であり、光生成器の中の１つは、光スペクトルの赤領域内の光を生成し、光生成器の別のものは、光スペクトルの青領域内の光を生成し、残りの光生成器は、光スペクトルの緑領域内の光を生成する。更に別の実施形態では、色成分は、ＣＩＥ色標準に対応しており、較正パラメータは、光生成器のそれぞれから放射される光を組み合わせることによって生成される光信号が、受信された色成分がＣｋ＝Ｃ’ｋ（ここで、ｋ＝１〜３）である値を有している場合のＣ’ｋのＣＩＥ色標準における色成分によって特徴付けられるように選定される。
【実施例】
【０００７】
本発明は、高価な試験設備を必要とすることなしにセンサの較正を実行できるように、放射光を制御するべくスペクトルフィードバックを採用する照明システムにおいて使用する事前設定（事前構成）された複合光源を構築する方法を提供するものである。本発明がその利点を提供する方式については、従来技術による複合光源１０を示している図１を参照することによって容易に理解することができる。光源１０は、参照符号１４〜１６によって示されているＬＥＤの３つのアレイから構成されている。アレイ１４〜１６は、それぞれ赤、緑、及び青スペクトルレンジの光を放射する。単一のＬＥＤの代わりにそれぞれの色のＬＥＤのアレイを使用することにより、光源の光出力が増大する。それぞれのアレイによって生成される光の強度は、そのアレイ内のＬＥＤを流れる電流によるか、或いは、それぞれのＬＥＤに印加されるパルス信号のデューティサイクルによって決定することができる。以下の説明では、ＬＥＤを流れる電流を変化させることによって強度を変化させるものと仮定する。但し、本発明は、「オフ」時間に対する「オン」時間の比率を制御して所望の光出力を提供するようなやり方でＬＥＤをパルス的にオン／オフ駆動させるシステムにおいても使用可能である。この電流は、ドライバに入力される赤、緑、及び青イネーブル信号に応答して、ドライバ１１〜１３によって設定される。このイネーブル信号は、ドライバ回路内に設定されている所定の電流によって対応するアレイをオンにする単純なロジック信号であってよい。或いは、イネーブル信号は、対応するアレイを流れる実際の電流レベルを設定する多値信号であってもよい。
【０００８】
前述のように、製造のばらつきは、それぞれのアレイのＬＥＤに生じる。この結果、それぞれのアレイの電流／光出力関数の特性は、アレイごとに異なる。又、製造プロセスにおけるアレイごとのスペクトルのばらつきも存在しており、これも、光源１０によって生成される光の色ずれの原因となりうる。
【０００９】
本発明がこれらの問題点を克服する方式については、本発明の一実施形態による複合光源１００のブロック図である図２に示されている。光源１００は、参照符号１０１〜１０３によって示されているＬＥＤの３つのアレイから構成されている。アレイ１０１〜１０３は、それぞれ公称的に赤、緑、及び青の光を生成する。それぞれのアレイによって生成される光の強度は、当該アレイのＬＥＤを流れる電流によって決定され、この電流は、アレイに付加されているドライバによって設定される。アレイ１０１〜１０３に対応するドライバは、それぞれ参照符号１０４〜１０６によって示されている。
【００１０】
前述のように、理想的な光源は、ＣＩＥ表色系などの標準化された色仕様系における３つの値として指定された色を受け入れ、その指定されたＣＩＥ色座標を有する光を生成する。即ち、標準的な表色系における３つの値を出力する分光計によってこの出力光を計測すれば、分光計の出力は、光源に提供された入力値と整合（例えば一致）することになる。本発明は、アレイ間におけるばらつきを軽減する制御方式を提供すると共に、このような標準化された色仕様系を提供する。本発明は、赤、青、及び緑の強度値を受け付けてアレイのそれぞれに適切な電流を供給するインターフェイス回路１２０を提供する。この電流は、後述する方式において、９つの重み係数を調節することによって決定される。理想的には、正しい重み係数が使用された場合に、光源は、ＬＥＤごとのＬＥＤ光変換効率におけるばらつきと同一色のＬＥＤごとのスペクトルにおけるばらつきとは無関係な入力値によって指定されたＣＩＥ色座標を生成する。重み係数は、それぞれの光源ごとに判定され、光源内に保存される。従って、光源を利用する回路設計者の観点では、それぞれの光源は、赤、緑、及び青の同一の強度値が光源に入力された場合に標準的な分光計によって計測されるものと同一のＣＩＥ色座標を生成する理想的な光源として動作する。又、生成されるスペクトルも標準的なスペクトル体系に準拠している。そして、較正及び補正回路のすべてが光源の内部に格納されているため、製造者は、製造者の装置内における光源の使用の前の較正回路の提供とそれぞれの光源の較正の調節に関連するタスクから解放されることになる。即ち、設計者に要求される唯一の知識は、標準化されたＲＧＢ色座標の観点における所望の色出力についてのものである。
【００１１】
図２に示されている実施形態では、標準化されたそれぞれの色値を、対応する制御回路によって受信する。赤、緑、及び青に対応する標準化された入力値に対する制御回路が、それぞれ参照符号１０８〜１１０によって示されている。以下の説明を簡単にするために、制御回路への入力を（Ｒｖ，Ｇｖ，Ｂｖ）という三重項の形態で記述する。インターフェイス１２０の目標は、（Ｒｖ，Ｇｖ，Ｂｖ）によって生成されるスペクトルが、標準的な表色系において指定されているものと同一であると共に、（Ｒｖ，Ｇｖ，Ｂｖ）によって生成される光の強度が、Ｒｖ、Ｇｖ、及びＢｖ値と線形の関係になるように、電流値をＬＥＤドライバに供給することである。即ち、（Ｒｖ，Ｇｖ，Ｂｖ）によって生成される光の強度は、（２Ｒｖ，２Ｇｖ，２Ｂｖ）によって生成される強度の半分であり、これら２つの光出力は、同一のスペクトル形状を有することになる。尚、強度が平均駆動電流の線形関数となる範囲は、駆動電流の大きさを調節するタイプのＬＥＤよりも、パルス変調型ＬＥＤのほうが大きい。
【００１２】
図２に示されている実施形態では、それぞれの制御回路は、３つのＬＥＤアレイに印加される電流に対応する値を生成する。入力色値（Ｒｖ，Ｇｖ，Ｂｖ）を制御回路に印加した場合に、制御回路１０８によって生成される値は、Ｒｖｗ１，ｊ（ここで、ｊ＝１〜３である）である。同様に、制御回路１０９及び１１０によって生成される値は、それぞれＧｖｗ２，ｊ（ここで、ｊ＝１〜３である）及びＢｖｗ３，ｊ（ここで、ｊ＝１〜３である）である。この入力三重項に応答してＬＥＤアレイ１０１に印加される電流は、Ｒｖｗ１，１＋Ｇｖｗ２，１＋Ｂｖｗ３，１である。同様に、ＬＥＤアレイ１０２及び１０３に印加される電流は、それぞれＲｖｗ１，２＋Ｇｖｗ２，２＋Ｂｖｗ３，２とＲｖｗ１，３＋Ｇｖｗ２，３＋Ｂｖｗ３，３である。
【００１３】
図２に示されている実施形態では、インターフェイス１２０は、制御回路１０８〜１１０と駆動電流回路１０７から構成されている。駆動電流回路１０７は、それぞれの制御回路によって供給される寄与分を合計し、ＬＥＤアレイのそれぞれのドライバに印加され、かつ、ＬＥＤアレイのそれぞれを通じて流れることになる実際の電流を設定する信号を生成する。
【００１４】
本発明の一実施形態では、この標準化された入力は、ＣＩＥ標準表色系に対応している。それぞれの制御回路用の重み値は、対応するＣＩＥ色座標に出力光が準拠するように重みを調節することによって決定される。従って、赤制御回路用の重みを見いだすには、（１，０，０）の三重項を光源入力に適用する。そして、光源によって生成される光を、ＣＩＥ色座標系において較正された分光計によって観測する。そして、光源によって生成される光が（ＸＲｖ，ＹＲｖ，ＺＲｖ）のＣＩＥ色値に対応するように、重み値を調節する（ここで、（ＸＲｖ，ＹＲｖ，ＺＲｖ）は、「仮想」赤ＬＥＤ色座標と呼ばれるものであり、これは、分光計に依存するなんらかの所定の値である）。次に、緑制御回路に対応する重みを、（０，１，０）という形態の入力三重項を使用して、カメラが「仮想」緑ＬＥＤ色座標の値（ＸＧｖ，ＹＧｖ，ＺＧｖ）を出力するように重みを調節する類似の方式によって取得する。最後に、（０，０，１）を制御回路に入力した場合、青の「仮想」ＬＥＤ色座標である（ＸＢｖ，ＹＢｖ，ＺＢｖ）の出力を提供する類似の方式において、青制御回路に対応する重みを生成する。尚、この重み値を決定するサーチアルゴリズムについては、当該技術分野では既知であり、従って、その詳細な説明は、ここでは省略する。この「仮想」ＬＥＤ関数は、「このようなすべての理想光源は、同一の入力三重項が提示された場合に、同一のＣＩＥ色座標を生成することになる」という意味において、理想的な光源を提供する。
【００１５】
本発明の一実施形態では、それぞれの制御回路は、当該制御回路が使用する重み値を受信するためのポートを具備している。例示的な重み入力ポートが、参照符号１２１〜１２３によって示されている。又、それぞれの制御回路は、当該制御回路に関連する重み入力ポート上において受信した重み値を保存するための不揮発性メモリを含んでいる。
【００１６】
前述の実施形態では、３色の標準化された表色系を利用している。しかしながら、その他の表色系を利用する本発明の実施形態を構成することも可能である。例えば、印刷の分野では、４色を利用する色座標システムが周知である。このような座標系に基づいた本発明の一実施形態では、４成分色ベクトルをインターフェイス回路に入力することになろう。そして、インターフェイス回路は、４つの光生成器のそれぞれの出力を指定するのに必要な４つの電流を生成することになろう。このような実施形態では、それぞれの光生成器は、対象とする座標系における成分の中の１つに対応する波長の光を公称的に生成することになる。そして、較正パラメータは、４色座標系の出力を提供する分光計によって観測したときの光源の出力が、光源に入力された４成分色ベクトルと一致するように、選定されることになろう。
【００１７】
前述の実施形態では、光源を較正するために、９パラメータの重みシステムを利用している。図２に示されている実施形態では、インターフェイスは、制御回路と駆動電流回路に分割されている。図３は、更に一般的なインターフェイス回路を利用する本発明の別の実施形態を示す。光源２００は、較正インターフェイス回路２２０によって駆動される３つのＬＥＤアレイ（２０１〜２０３）を含んでおり、較正インターフェイス回路は、光源の出力を決定する仮想色値（Ｒｖ，Ｇｖ，Ｂｖ）を受け取る。インターフェイス回路２２０は、複数の較正パラメータＰｉ（ここで、ｉ＝１〜Ｎｐである）を格納する。
【００１８】
一般的なケースにおいてインターフェイス回路が必要とするパラメータの最少数は、３色成分システムの場合には９である。このインターフェイス回路は、本発明による構成に入力される仮想色座標（Ｒｖ，Ｇｖ，Ｂｖ）と、座標系（ＩＲ，ＩＧ，ＩＢ）（ここで、ＩＲ，ＩＧ，及びＩＢは、赤、緑、及び青アレイ内を流れる平均電流である）間における座標の単純な変換を提供する回路と見なすことができる。このような座標の変換は、ベクトル（Ｒｖ，Ｇｖ，Ｂｖ）を３ｘ３行列で乗算してベクトル（ＩＲ，ＩＧ，ＩＢ）を生成する行列乗算によって実現することができる。３ｘ３行列は、９つのパラメータを含んでいるため、３成分色システムでは、９つの重みパラメータによって一般的な変換を実行可能である。この手順により、重みパラメータを決定するための方法が提供される。但し、（ＩＲ，ＩＧ，ＩＢ）をＬＥＤアレイに印加した際に、これらの電流値とＣＩＥ分光計によって計測された（Ｒ，Ｇ，Ｂ）色値との間の関係を示す９つの独立した計測値から、これらの重み値を算出することも可能である。Ｎ色システムを利用する更に一般的なケースでは、Ｎ２個の重みを決定しなければならない。これらの重みは、仮想色座標計測値を正しいＮ個の駆動電流に変換するのに利用するＮｘＮ行列における係数である。
【００１９】
本発明の前述の実施形態では、それぞれの光生成器がＬＥＤのアレイを有する３つの光生成器を利用している。しかしながら、その他の形態の光生成器を利用する実施形態を構築することも可能である。例えば、光生成器を半導体レーザーから構築することができる。
【００２０】
本発明の光源は、Ｎ個の光発生器、受信器、及びインターフェイス回路を有する。光発生器の各々は異なる波長の光を放射し、ｋ番目の光発生器によって生成される光の強度は、その光発生器に結合された信号Ｉｋによって決まる。受信器は、Ｎ個の色成分Ｃｋ（ｋ＝１〜Ｎ、Ｎは１より大きい）を含む色座標を受け取る。インターフェイス回路は、受け取った色成分からＩｋ（ｋ＝１〜Ｎ）を生成し、及び複数の較正パラメータを生成する。較正パラメータは、光発生器における製造ばらつきに依存する。較正パラメータは、光発生器の各々から放射された光を組み合わせることによって生成される光信号が、ＩｋがＣｋ（ｋ＝１〜Ｎ）に比例する場合に生成された光信号に対するよりも、光発生器の製造ばらつきに対する依存度が小さくなるように選択された値を有する。
【００２１】
以上の説明及び添付の図面を参照することにより、当業者には、本発明に対する様々な変更が明らかとなろう。従って、本発明は、添付の特許請求の範囲によってのみ限定されるものである。
【図面の簡単な説明】
【００２２】
【図１】従来技術による複合光源１０である。
【図２】本発明の一実施形態による複合光源１００のブロック図である。
【図３】異なる数の重み関数を利用する本発明の別の実施形態である。
【符号の説明】
【００２３】
１００，２００  光源
１０１−１０３，２０１−２０３  光生成器（ＬＥＤ）
１２０，２２０  インターフェイス回路
【図１】
2005191004.tif 000003
【図２】
2005191004.tif 000004
【図３】
2005191004.tif 000005